(57)【要約】【課題】進捗状況の報知や進捗に伴う各種注意事項、伝達事項等の報知を明確に行うことで、書類処理の進捗状況の管理効率や書類の処理効率を向上することができる進捗管理システムを提供する。【解決手段】時間的順序に沿って予め設定された複数の作業工程により完遂される特許案件の書類処理の進捗を管理する特許進捗管理システムＰＳであって、案件に関連づけられた無線タグラベルＴより、無線通信を介し情報読み取りを行うと共に、案件の作業工程に関連づける音声データとして記録するために、操作者が肉声を入力可能なマイク３１０と、無線タグラベルＴより取得した情報に基づき、作業工程に関連づけて記録された音声データを再生するスピーカ３２０とを備えたリーダ３００を有する。【選択図】図１
2009237948.tif 000002
【特許請求の範囲】
【請求項１】
時間的順序に沿って予め設定された複数の作業手順により完遂される、少なくとも１つの事象の書類処理の進捗を管理する進捗管理システムであって、
前記事象に関連付けられた無線タグより、無線通信を介し情報読み取りを行う読み取り装置と、
前記事象の前記作業手順に関連付ける音声データとして、前記読み取り装置で前記無線タグより取得した情報に基づき記録するために、操作者が肉声を入力可能な音声入力手段と、
前記読み取り装置で前記無線タグより取得した情報に基づき、前記作業手順に関連付けて記録された前記音声データを再生する音声再生手段と
を有することを特徴とする進捗管理システム。
【請求項２】
前記無線タグは、情報を記憶するＩＣ回路部と情報を送受信するタグアンテナとを備えた無線タグ回路素子を有し、
前記音声入力手段を介し入力された前記肉声に基づく前記音声データを、対応する前記無線タグ回路素子のタグ識別情報と、対応する書類処理の前記作業手順に沿った進捗を表す進捗情報とに関連付けて格納保持するデータベースを設けた
ことを特徴とする請求項１記載の進捗管理システム。
【請求項３】
前記読み取り装置で前記無線タグ回路素子から読み取った前記識別情報に基づき、前記データベースより前記音声データの取得を行う音声データ取得手段を有し、
前記音声再生手段は、
前記音声データ取得手段での取得結果に基づき、対応する前記音声データを再生する
ことを特徴とする請求項２記載の進捗管理システム。
【請求項４】
前記読み取り装置で前記無線タグ回路素子から読み取った前記識別情報に基づき、前記データベースより前記進捗情報の取得を行う進捗情報取得手段と、
前記音声再生手段による前記音声データの再生に対応して、前記進捗情報取得手段で取得した前記進捗情報の表示を行う表示手段と
を有することを特徴とする請求項３記載の進捗管理システム。
【請求項５】
前記無線タグは、前記事象ごとに第１操作者による作成指示に応じて作成された、第１無線タグ回路素子を備えた第１無線タグラベルを含み、
前記データベースは、
前記第１操作者により前記音声入力手段を介し入力され、第２操作者への第１伝言情報を含む前記音声データを、前記第１無線タグ回路素子の前記タグ識別情報と、対応する前記進捗情報と関連付けて、格納している
ことを特徴とする請求項３又は請求項４記載の進捗管理システム。
【請求項６】
前記無線タグは、前記第１無線タグラベルが作成された前記事象に関して前記複数の作業手順の時間的順序に沿って前記第１無線タグラベルの後に作成され、第２無線タグ回路素子を備えた第２無線タグラベルを含み、
前記データベースは、
前記第１操作者により前記音声入力手段を介し入力され、前記第２操作者への前記第１伝言情報を含む前記音声データを、前記第２無線タグ回路素子の前記タグ識別情報と、対応する前記進捗情報と関連付けて格納している
ことを特徴とする請求項５記載の進捗管理システム。
【請求項７】
前記音声データ取得手段は、
前記第２操作者への前記第１伝言情報を含む前記音声データを取得し、
前記音声再生手段は、
前記第２操作者の操作に応じて、前記第１操作者から前記第２操作者への前記第１伝言情報を再生する
ことを特徴とする請求項５又は請求項６記載の進捗管理システム。
【請求項８】
前記データベースは、
前記第２操作者により前記音声入力手段を介し入力され、前記第１操作者への第２伝言情報を含む前記音声データを、前記第２無線タグ回路素子の前記タグ識別情報と、対応する前記進捗情報と関連付けて格納しており、
前記音声データ取得手段は、
前記第１操作者への前記第２伝言情報を含む前記音声データを取得し、
前記音声再生手段は、
前記第１操作者の操作に応じて、前記第２操作者から前記第１操作者への前記第２伝言情報を再生する
ことを特徴とする請求項６又は請求項７記載の進捗管理システム。
【請求項９】
前記データベースは、
複数の第２操作者のうち、一の第２操作者により前記音声入力手段を介し入力され、他の第２操作者への第３伝言情報を含む前記音声データを、前記第２無線タグ回路素子の前記タグ識別情報と、対応する前記進捗情報と関連付けて格納しており、
前記音声データ取得手段は、
前記他の第２操作者への前記第３伝言情報を含む前記音声データを取得し、
前記音声再生手段は、
前記他の第２操作者の操作に応じて、前記一の第２操作者から前記他の第２操作者への前記第３伝言情報を再生する
ことを特徴とする請求項６乃至請求項８のいずれか１項記載の進捗管理システム。
【請求項１０】
前記音声再生手段は、
前記読み取り装置で前記第１無線タグ回路素子の前記識別情報を読み取った場合には、前記第１無線タグ回路素子の識別情報、及び、対応する前記第２無線タグ回路素子の識別情報に係わる、前記第１伝言情報、前記第２伝言情報、及び前記第３伝言情報のうち、前記第１伝言情報及び前記第２伝言情報、若しくは、前記第１伝言情報及び前記第２伝言情報及び前記第３伝言情報を再生し、
前記読み取り装置で前記第２無線タグ回路素子の前記識別情報を読み取った場合には、前記第２無線タグ回路素子の識別情報に係わる、前記第１伝言情報及び前記第３伝言情報の少なくとも一方を再生する
ことを特徴とする請求項６乃至請求項９のいずれか１項記載の進捗管理システム。
【請求項１１】
前記データベースは、
前記音声データを、対応する前記タグ識別情報と、対応する前記進捗情報と、再生可能に予め設定された効果音データと関連付けて格納しており、
前記音声データ取得手段は、
前記データベースより前記音声データの取得を行うと共に、対応する前記効果音データの取得を行い、
前記音声再生手段は、
前記音声データ取得手段での取得結果に基づき、対応する前記音声データ及び前記効果音データを再生する
ことを特徴とする請求項３乃至請求項１０のいずれか１項記載の進捗管理システム。
【発明の詳細な説明】
【技術分野】
【０００１】
本発明は、時間的順序に沿って予め設定された複数の作業手順により完遂される、少なくとも１つの事象の書類処理の進捗を管理する進捗管理システムに関する。
【背景技術】
【０００２】
近年、所定の無線タグ情報を記憶するＩＣ回路部とこのＩＣ回路部に接続されて情報の送受信を行うアンテナとを備えた無線タグ回路素子を有する小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが提唱されており、様々な分野において実用化されつつある。
【０００３】
上記ＲＦＩＤシステムの従来技術として、例えば特許文献１に記載のものがある。この従来技術では、書類に無線タグラベル（ＲＦＩＤタグ）を取り付けると共に、その無線タグラベルが有する無線タグ回路素子のタグ識別情報（タグ識別子）と書類情報とを関連付けてデータベースに格納する。さらに、ワークフローの領域近辺に複数のリーダ（センサ）が設けられており、これら各リーダの場所も事前にデータベースに登録されている。これにより、書類に取り付けられた無線タグラベルのタグ識別情報がリーダで読み取られると、そのタグ識別情報と書類情報、及び場所が対応付けられ、書類の場所が把握できるようになっている。このようにして、書類の物理的な動きを追跡可能としている。
【特許文献１】特開２００４−１５２２５８号公報
【発明の開示】
【発明が解決しようとする課題】
【０００４】
一般に業務の進行においては、複数の作業手順が並行して進捗する。したがって、業務を効果的に管理するには、複数の作業手順の進捗状況を一元管理する必要がある。このとき、上記従来技術のシステムでは、業務の進行に伴って作成される書類の物理的な動きを追跡することは可能であるが、その書類の動きにより作業手順が進捗しても、その進捗状況を把握することができなかった。
【０００５】
さらには、作業手順の進捗中に、所定の作業手順において次の作業手順を行う者への注意事項や伝達事項が生じた場合に、上記従来技術のシステムではその報知を行う手段がないため、書類処理の進捗状況の管理効率や書類の処理効率の低下を招くおそれがあった。
【０００６】
本発明の目的は、進捗状況の報知や進捗に伴う各種注意事項、伝達事項等の報知を明確に行うことで、書類処理の進捗状況の管理効率や書類の処理効率を向上することができる進捗管理システムを提供することにある。
【課題を解決するための手段】
【０００７】
上記目的を達成するために、第１発明の進捗管理システムは、時間的順序に沿って予め設定された複数の作業手順により完遂される、少なくとも１つの事象の書類処理の進捗を管理する進捗管理システムであって、前記事象に関連付けられた無線タグより、無線通信を介し情報読み取りを行う読み取り装置と、前記事象の前記作業手順に関連付ける音声データとして、前記読み取り装置で前記無線タグより取得した情報に基づき記録するために、操作者が肉声を入力可能な音声入力手段と、前記読み取り装置で前記無線タグより取得した情報に基づき、前記作業手順に関連付けて記録された前記音声データを再生する音声再生手段とを有することを特徴とする。
【０００８】
本願第１発明においては、事象における書類の処理が複数の作業手順に沿って行われ進捗していくとき、操作者が音声入力手段を用いて肉声にて音声データを入力して記録することができる。このとき、事象に対し無線タグが関連付けられている。この無線タグに対し読み取り装置が情報読み取りを行うことで、その取得された情報に基づき、音声再生手段が上記事象の作業手順に関連付けて記録された音声データを再生することができる。
【０００９】
これにより、複数の作業手順に沿った進捗に応じ、操作者に対し音声案内を行うことが可能となる。この結果、進捗状況の報知や進捗に伴う各種注意事項、伝達事項等の報知をより明確に行うことができ、書類処理の進捗状況の管理効率や書類の処理効率を向上することができる。
【００１０】
第２発明の進捗管理システムは、上記第１発明において、前記無線タグは、情報を記憶するＩＣ回路部と情報を送受信するタグアンテナとを備えた無線タグ回路素子を有し、前記音声入力手段を介し入力された前記肉声に基づく前記音声データを、対応する前記無線タグ回路素子のタグ識別情報と、対応する書類処理の前記作業手順に沿った進捗を表す進捗情報とに関連付けて格納保持するデータベースを設けたことを特徴とする。
【００１１】
これにより、無線タグに対して読み取りを行い取得した無線タグ回路素子の識別情報をキーにしてデータベースを検索することで、対応する音声データ及び進捗情報を容易かつ円滑に取得することができる。
【００１２】
第３発明の進捗管理システムは、上記第２発明において、前記読み取り装置で前記無線タグ回路素子から読み取った前記識別情報に基づき、前記データベースより前記音声データの取得を行う音声データ取得手段を有し、前記音声再生手段は、前記音声データ取得手段での取得結果に基づき、対応する前記音声データを再生することを特徴とする。
【００１３】
これにより、読み取り装置を用いて無線タグに対して読み取りを行うことで、無線タグ回路素子の識別情報に基づき、対応する音声データを再生することができる。
【００１４】
第４発明の進捗管理システムは、上記第３発明において、前記読み取り装置で前記無線タグ回路素子から読み取った前記識別情報に基づき、前記データベースより前記進捗情報の取得を行う進捗情報取得手段と、前記音声再生手段による前記音声データの再生に対応して、前記進捗情報取得手段で取得した前記進捗情報の表示を行う表示手段とを有することを特徴とする。
【００１５】
これにより、読み取り装置を用いて無線タグに対して読み取りを行うことで、無線タグ回路素子の識別情報に基づき、対応する進捗情報を表示することができる。
【００１６】
第５発明の進捗管理システムは、上記第３又は第４発明において、前記無線タグは、前記事象ごとに第１操作者による作成指示に応じて作成された、第１無線タグ回路素子を備えた第１無線タグラベルを含み、前記データベースは、前記第１操作者により前記音声入力手段を介し入力され、第２操作者への第１伝言情報を含む前記音声データを、前記第１無線タグ回路素子の前記タグ識別情報と、対応する前記進捗情報と関連付けて、格納していることを特徴とする。
【００１７】
第１操作者が第１無線タグラベルを作成し、その第１無線タグラベルのタグ識別情報と、第２操作者への第１伝言情報を含む音声データとが関連付けられて、データベースに格納される。これにより、第２操作者が、第１無線タグ回路素子の識別情報をキーとしてデータベースの検索を行い、対応する音声データと進捗情報とを取得することが可能となる。
【００１８】
第６発明の進捗管理システムは、上記第５発明において、前記無線タグは、前記第１無線タグラベルが作成された前記事象に関して前記複数の作業手順の時間的順序に沿って前記第１無線タグラベルの後に作成され、第２無線タグ回路素子を備えた第２無線タグラベルを含み、前記データベースは、前記第１操作者により前記音声入力手段を介し入力され、前記第２操作者への前記第１伝言情報を含む前記音声データを、前記第２無線タグ回路素子の前記タグ識別情報と、対応する前記進捗情報と関連付けて、格納していることを特徴とする。
【００１９】
第１操作者が第１無線タグラベルの後に第２無線タグラベルを作成し、その第２無線タグラベルを添付した書類等を第２操作者が受け取る。第２操作者が、読み取り装置を用いて第２無線タグラベルに対して読み取りを行うことで、第１無線タグ回路素子の識別情報をキーとしてデータベースの検索を行い、対応する音声データと進捗情報とを取得することが可能となる。
【００２０】
第７発明の進捗管理システムは、上記第５又は６発明において、前記音声データ取得手段は、前記第２操作者への前記第１伝言情報を含む前記音声データを取得し、前記音声再生手段は、前記第２操作者の操作に応じて、前記第１操作者から前記第２操作者への前記第１伝言情報を再生することを特徴とする。
【００２１】
これにより、第２操作者が、読み取り装置を用いて第２無線タグラベルに対して読み取りを行うことで、第１操作者から第２操作者への第１伝言情報を再生することができる。この結果、第１操作者から第２操作者へ特に知らせたいことや、要望したいこと等を確実に報知することができる。
【００２２】
第８発明の進捗管理システムは、上記第６又は第７発明において、前記データベースは、前記第２操作者により前記音声入力手段を介し入力され、前記第１操作者への第２伝言情報を含む前記音声データを、前記第２無線タグ回路素子の前記タグ識別情報と、対応する前記進捗情報と関連付けて格納しており、前記音声データ取得手段は、前記第１操作者への前記第２伝言情報を含む前記音声データを取得し、前記音声再生手段は、前記第１操作者の操作に応じて、前記第２操作者から前記第１操作者への前記第２伝言情報を再生することを特徴とする。
【００２３】
第２無線タグラベルを添付した書類等を第１操作者が第２操作者から受け取る。第１操作者が、読み取り装置を用いて第２無線タグラベルに対して読み取りを行うことで、第２無線タグ回路素子の識別情報をキーとしてデータベースの検索を行い、対応する音声データと進捗情報とを取得することが可能となる。また、第１操作者が、読み取り装置を用いて第２無線タグラベルに対して読み取りを行うことで、第２操作者から第１操作者への第２伝言情報を再生することができる。この結果、第２操作者から第１操作者へ特に知らせたいことや、要望したいこと等を確実に報知することができる。
【００２４】
第９発明の進捗管理システムは、上記第６乃至第８発明のいずれかにおいて、前記データベースは、複数の第２操作者のうち、一の第２操作者により前記音声入力手段を介し入力され、他の第２操作者への第３伝言情報を含む前記音声データを、前記第２無線タグ回路素子の前記タグ識別情報と、対応する前記進捗情報と関連付けて格納しており、前記音声データ取得手段は、前記他の第２操作者への前記第３伝言情報を含む前記音声データを取得し、前記音声再生手段は、前記他の第２操作者の操作に応じて、前記一の第２操作者から前記他の第２操作者への前記第３伝言情報を再生することを特徴とする。
【００２５】
複数の第２操作者が存在し、当該第２操作者同士で書類等のやりとりがある場合、第２無線タグラベルを添付した書類等を他の第２操作者が一の第２操作者から受け取る。当該他の第２操作者が、読み取り装置を用いて第２無線タグラベルに対して読み取りを行うことで、第２無線タグ回路素子の識別情報をキーとしてデータベースの検索を行い、対応する音声データと進捗情報とを取得することが可能となる。また、複数の第２操作者同士で書類等のやりとりがある場合、他の第２操作者が第２無線タグラベルに対して読み取りを行うことで、一の第２操作者からの第３伝言情報を再生することができる。この結果、複数の第２操作者同士で特に知らせたいことや、要望したいこと等を確実に報知することができる。
【００２６】
第１０発明の進捗管理システムは、上記第６乃至第９発明のいずれかにおいて、前記音声再生手段は、前記読み取り装置で前記第１無線タグ回路素子の前記識別情報を読み取った場合には、前記第１無線タグ回路素子の識別情報、及び、対応する前記第２無線タグ回路素子の識別情報に係わる、前記第１伝言情報、前記第２伝言情報、及び前記第３伝言情報のうち、前記第１伝言情報及び前記第２伝言情報、若しくは、前記第１伝言情報及び前記第２伝言情報及び前記第３伝言情報を再生し、前記読み取り装置で前記第２無線タグ回路素子の前記識別情報を読み取った場合には、前記第２無線タグ回路素子の識別情報に係わる、前記第１伝言情報及び前記第３伝言情報の少なくとも一方を再生することを特徴とする。
【００２７】
第１〜第３伝言情報の中で再生できる範囲を、第１操作者は比較的広い範囲としつつ、第２操作者は比較的狭い範囲に限定する。このように、再生範囲に差を設けることにより、役割分担に応じた円滑かつ合理的な音声案内を行うことができ、また無駄な伝達を省くことで迅速な書類処理も可能となる。
【００２８】
第１１発明の進捗管理システムは、上記第３乃至第１０発明のいずれかにおいて、前記データベースは、前記音声データを、対応する前記タグ識別情報と、対応する前記進捗情報と、再生可能に予め設定された効果音データと関連付けて格納しており、前記音声データ取得手段は、前記データベースより前記音声データの取得を行うと共に、対応する前記効果音データの取得を行い、前記音声再生手段は、前記音声データ取得手段での取得結果に基づき、対応する前記音声データ及び前記効果音データを再生することを特徴とする。
【００２９】
肉声の入力に基づく音声データに付随して効果音の再生も可能とすることで、さらに明確かつきめ細かな報知を行うことができる。
【発明の効果】
【００３０】
本発明によれば、進捗状況の報知や進捗に伴う各種注意事項、伝達事項等の報知を明確に行うことで、書類処理の進捗状況の管理効率や書類の処理効率を向上することができる。
【発明を実施するための最良の形態】
【００３１】
以下、本発明の一実施の形態を図面を参照しつつ説明する。本実施形態は、本発明の進捗管理システムを特許出願における書類処理の進捗を管理する特許進捗管理システムに適用した例である。
【００３２】
図１は、本実施形態の特許進捗管理システムの全体構成を表すシステム構成図である。
【００３３】
図１に示すこの特許進捗管理システムＰＳ（進捗管理システム）は、無線タグ情報の送受信を行うためのタグアンテナ１５１及びこれに接続され無線タグ情報を記憶可能なＩＣ回路部１５０により構成される無線タグ回路素子Ｔｏ（後述の図４参照）を有する無線タグラベルＴ（無線タグ）を作成するタグラベル作成装置１００と、各種情報が格納された（ハードディスク等で構成される）データベース２００と、これらタグラベル作成装置１００及びデータベース２００と有線あるいは無線による通信回線ＮＷを介して接続され、作成された上記無線タグラベルＴと無線通信を行い無線タグ回路素子ＴｏのＩＣ回路部１５０から無線タグ情報の読み取りを行うことが可能な携帯型のリーダ３００とを有している。
【００３４】
上記リーダ３００（読み取り装置）は、例えばタッチパネル式液晶ディスプレイである表示部３０１及び操作部３０２を有しており、後述する各作業工程（作業手順）を行う際に操作者が表示部３０１を介して情報を閲覧したり、操作部３０２を用いて情報の入力を行うことが可能である。またリーダ３００は、各作業工程に関連付ける音声データとして操作者が肉声を入力可能なマイク３１０（音声入力手段）と、音声データを再生して聴くためのスピーカ３２０を内蔵している。なお、ここでは煩雑防止のためリーダ３００を１台のみ図示しているが、実際には複数のリーダ３００が通信回線ＮＷに接続されており、各リーダ３００の操作者がデータベース２００及びタグラベル作成装置１００を共有可能となっている。
【００３５】
図２は、上記リーダ３００の機能構成を表す機能ブロック図である。
【００３６】
上記データベース２００は、各特許出願案件（事象）の案件情報（発明の名称、代表発明者等）、書類処理の作業工程に沿った進捗を表す進捗情報、及び操作者により上記マイク３１０を介し入力された肉声に基づく音声データ等を、上記無線タグ回路素子ＴｏのタグＩＤ（タグ識別情報）と関連付けて格納保持している。
【００３７】
上記リーダ３００は、各種表示を行う上記表示部３０１と、操作者が各種操作入力を行うための上記操作部３０２と、操作者が肉声を入力可能な上記マイク３１０と、このマイク３１０を介して入力された操作者の肉声を符号化・データ圧縮して音声データ化する音声入力部３１１と、無線タグラベルＴ（後述する主タグラベルＴａ、従タグラベルＴｃを含む。以下同様）に備えられる無線タグ回路素子Ｔｏのタグアンテナ１５１との間で無線通信により信号の授受を行うアンテナ３０５と、このアンテナ３０５を介し上記無線タグ回路素子ＴｏのＩＣ回路部１５０へ無線通信によりアクセスし、その無線タグ回路素子Ｔｏから読み出された信号を処理する高周波回路３０６と、上記データベース２００から取得した音声データを復号・再生する音声出力部３２１と、この音声出力部３２１の出力で駆動される上記スピーカ３２０と、この高周波回路３０６等を含むリーダ３００全体の制御を行う制御回路３０３と、この制御回路３０３と上記タグラベル作成装置１００や上記データベース２００と通信回線ＮＷを介して行われるネットワーク通信を行うためのインターフェース３０４とを有する。
【００３８】
図３は、上記タグラベル作成装置１００の機能構成を表す機能ブロック図である。
【００３９】
タグラベル作成装置１００は、所定間隔で無線タグ回路素子Ｔｏが備えられたタグテープ１０３を巻回したタグテープロール１０４（本来は渦巻き状であるが簡略化して同心円で図示している）を着脱可能な（又はタグテープロール１０４を備えたカートリッジを着脱可能な）タグテープロールホルダ部１１０と、このタグテープロール１０４から繰り出されたタグテープ１０３のうち上記無線タグ回路素子Ｔｏに対応した領域に所定の印字を行う印字ヘッド１０５と、無線タグ回路素子Ｔｏとの間で無線通信により情報の送受信を行うアンテナ１０６と、高周波回路１０１及び制御回路１０２と、上記データベース２００及びリーダ３００との間で通信回線ＮＷを介して行われるネットワーク通信を行うためのインターフェース１０８と、タグテープ１０３への印字及び無線タグ回路素子Ｔｏへの上記情報書き込みが終了したタグテープ１０３を所定の長さに切断して無線タグラベルＴとするカッタ１０７と、印字ヘッド１０５に対向して設けられ、制御回路１０２により制御されてタグテープ１０３を搬送する搬送装置１０９とを有する。
【００４０】
高周波回路１０１及び制御回路１０２は、無線タグ回路素子ＴｏのＩＣ回路部１５０へのアクセス情報を生成し、アンテナ１０６を介して無線タグ回路素子Ｔｏへ送信し、無線タグ回路素子ＴｏのＩＣ回路部１５０へ情報書き込みを行う。
【００４１】
なお、上記タグラベル作成装置１００の制御回路１０２、及びリーダ３００の制御回路３０３は、特に図示はしないが、いわゆるマイクロコンピュータであり、中央演算処理装置であるＣＰＵ、ＲＯＭ、ＲＡＭ等から構成され、ＲＡＭの一時記憶機能を利用しつつＲＯＭに予め記憶されたプログラムに従って所定の処理手順を行うようになっている。
【００４２】
図４は、上記無線タグ回路素子Ｔｏの機能的構成を表す機能ブロック図である。
【００４３】
この図４において、無線タグ回路素子Ｔｏは、装置側アンテナ（無線タグラベル作成装置１００のアンテナ１０６やリーダ３００のアンテナ３０５）と非接触で信号の送受信を行う上記タグアンテナ１５１と、このタグアンテナ１５１に接続された上記ＩＣ回路部１５０とを有している。
【００４４】
ＩＣ回路部１５０は、タグアンテナ１５１により受信された質問波を整流する整流部１５３と、この整流部１５３により整流された質問波のエネルギを蓄積し駆動電源とするための電源部１５４と、上記タグアンテナ１５１により受信された質問波からクロック信号を抽出して制御部１５５に供給するクロック抽出部１５６と、所定の情報信号を記憶し得るメモリ部１５７と、上記タグアンテナ１５１に接続された変復調部１５８と、上記整流部１５３、クロック抽出部１５６、及び変復調部１５８等を介して上記無線タグ回路素子Ｔｏの作動を制御するための上記制御部１５５とを備えている。
【００４５】
変復調部１５８は、タグアンテナ１５１により受信された上記装置側アンテナからの質問波の復調を行い、また、上記制御部１５５からの返信信号を変調し、タグアンテナ１５１より応答波として送信する。
【００４６】
クロック抽出部１５６は受信した信号からクロック成分を抽出し、当該クロック成分の周波数に対応したクロックを制御部１５５に供給する。
【００４７】
制御部１５５は、上記変復調部１５８により復調された受信信号を解釈し、上記メモリ部１５７において記憶された情報信号に基づいて返信信号を生成し、この返信信号を上記変復調部１５８により上記タグアンテナ１５１から返信する制御等の基本的な制御を実行する。
【００４８】
以上説明した構成である本実施形態の特許進捗管理システムＰＳの最大の特徴は、特許案件における書類の処理が複数の作業工程に沿って行われ進捗していくとき、操作者（知財担当者や発明者等）がリーダ３００のマイク３１０を用いて肉声にて伝言を入力し、作業工程に関連付けた音声データとして記録できる点にある。そして、対応する無線タグラベルＴに対しリーダ３００で情報読み取りを行うことで、その取得されたタグＩＤに基づき、上記作業工程に関連付けて記録された音声データを再生することができる。
【００４９】
上記内容を図５を参照しつつ具体的に説明する。図５は、上述した本実施形態の特徴を説明するための図である。なお、以下において、「クレーム」とは各特許案件の書類のうち「特許請求の範囲」を指すものである。
【００５０】
本実施形態においては、各特許案件の作業工程は、社内打合せ（工程１）、依頼書発送（工程２）、特許事務所打合せ（工程３）、クレーム受領（工程４）、発明者クレームチェック（工程５）、知財クレームチェック（工程６）、明細書原稿受領（工程７）、発明者明細書チェック（工程８）、知財明細書チェック（工程９）、出願（工程１０）、審査請求（工程１１）の１１工程から構成されている（後述の図１９参照）。図５は、上記工程４〜６におけるクレームチェック時の作業の流れ、又は上記工程７〜９における明細書チェック時の作業の流れを示している。なお、ここでは発明者が二人（発明者Ａ，Ｂ）である場合を例示している。
【００５１】
図５に示すように、知財担当者が特許事務所からクレーム（又は明細書。以下同様）を受領すると（工程４、図中(１)）、知財担当者（第１操作者）は当該クレームに無線タグラベルＴ（ここでは従タグラベルＴｃ）を添付して発明者Ａ（第２操作者）に回覧する。発明者Ａはクレームのチェックを行い（工程５、図中（２））、チェック完了後クレームを発明者Ｂ（第２操作者）に回覧する。発明者Ｂはクレームのチェックを行い（工程５、図中（３））、チェック完了後当該クレームを知財担当者に戻す。知財担当者はクレームのチェックを行い（工程６、図中（４））、チェック完了後チェック結果を特許事務所に知らせる。
【００５２】
以上のクレームチェックのための回覧において、知財担当者が発明者Ａ及びＢに伝言（例えば「○月○日までに返却してください」「○○さんに回覧してください」等。以下「第１伝言」と記載する。図中には「伝言１」と示す）がある場合、詳細は後述するが、知財担当者は無線タグラベルＴ（ここでは主タグラベルＴａ又は従タグラベルＴｃ）を用いてリーダ３００のマイク３１０を介して肉声にて第１伝言を入力し、データベース２００に登録する。当該知財担当者からの第１伝言を聴くと共にクレームチェックを終えた発明者Ａが、以降にチェックする発明者Ｂに対し伝言（例えば「図○○を修正しました」「段落○○をチェックしてください」等。以下「第３伝言」と記載する。図中には「伝言３」と示す）がある場合、又は最後にチェックする知財担当者に対し伝言（例えば「図○○及び段落○○に修正箇所があります」等。以下「第２伝言」と記載する。図中には「伝言２」と示す）がある場合、発明者Ａは無線タグラベルＴ（ここでは従タグラベルＴｃ）を用いてマイク３１０を介して肉声にて第２伝言又は第３伝言を入力し、データベース２００に登録する。その後、知財担当者及び発明者Ａからの第１伝言又は第３伝言を聴くと共にクレームチェックを終えた発明者Ｂが、最後にチェックする知財担当者に対し伝言（以下「第２伝言」と記載する。図中には「伝言２」と示す）がある場合、発明者Ｂは無線タグラベルＴ（ここでは従タグラベルＴｃ）を用いてマイク３１０を介して肉声にて第２伝言を入力し、データベース２００に登録する。そして、知財担当者は、当該特許案件に関連する全ての伝言（自ら登録した第１伝言及び発明者Ａ及びＢが登録した第２、第３伝言）を聴くと共にクレームチェックを行う。
【００５３】
なお、本実施形態においては、特許案件の進捗に応じ、無線タグラベルＴとして主タグラベルＴａ及び従タグラベルＴｃを用いる。主タグラベルＴａ（無線タグ、第１無線タグラベル）は、新規特許案件を登録する際に知財担当者（第１操作者）が最初に発行する無線タグラベルＴであり、各特許案件に対応するフォルダに取り付けて使用される。なお、フォルダは対応する特許案件の各種書類（依頼書やクレーム、明細書原稿等）を格納するものである（例えば包袋）。また、従タグラベルＴｃ（無線タグ、第２無線タグラベル）は、既に主タグラベルＴａが作成された案件について主タグラベルＴａの作成後に作成される無線タグラベルＴであり、各特許案件に対応して、知財担当者が特許事務所からクレームを受領した際及び明細書原稿を受領した際に作成され、それぞれクレーム原稿及び明細書原稿に取り付けて使用されるものである。この従タグラベルＴｃが取り付けられたクレーム原稿又は明細書原稿は、知財担当者から一人又は複数の発明者（第２操作者）に対し回覧され、チェックを受けるようになっている。なお、主タグラベルＴａに備えられる無線タグ回路素子Ｔｏが、特許請求の範囲各項記載の第１無線タグ回路素子を構成し、従タグラベルＴｃに備えられる無線タグ回路素子Ｔｏが、第２無線タグ回路素子を構成する。
【００５４】
上記において、知財担当者から発明者Ａ及びＢへの第１伝言が、請求項５及び請求項６記載の第１操作者により音声入力手段を介し入力される第２操作者への第１伝言情報に相当し、発明者Ａ又は発明者Ｂが知財担当者からの第１伝言を聴く際のリーダ３００のスピーカ３２０が、請求項７記載の第２操作者の操作に応じて第１操作者から第２操作者への第１伝言情報を再生する音声再生手段を構成する。
【００５５】
同様に、発明者Ａ又はＢから知財担当者への第２伝言が、請求項８記載の第２操作者により音声入力手段を介し入力される第１操作者への第２伝言情報に相当し、知財担当者が発明者Ａ又はＢからの第２伝言を聴く際のリーダ３００のスピーカ３２０が、請求項９記載の第１操作者の操作に応じて第２操作者から第１操作者への第２伝言情報を再生する音声再生手段を構成する。
【００５６】
また同様に、発明者Ａから発明者Ｂへの第３伝言が、請求項１０記載の複数の第２操作者のうち一の第２操作者により音声入力手段を介し入力される他の第２操作者への第３伝言情報に相当し、発明者Ｂが発明者Ａからの第３伝言を聴く際のリーダ３００のスピーカ３２０が、請求項１１記載の他の第２操作者の操作に応じて一の第２操作者から他の第２操作者への第３伝言情報を再生する音声再生手段を構成する。
【００５７】
次に、上述した特許進捗管理システムＰＳの特徴を実現するために、リーダ３００の制御回路３０３によって実行される制御内容を説明する。
【００５８】
図６は、上記リーダ３００の制御回路３０３によって行われる制御手順を表すフローチャートである。
【００５９】
まずステップＳ１０では、制御回路３０３は、無線タグラベルＴ（主タグラベルＴａ及び従タグラベルＴｃを含む）からタグＩＤの読み取りを行ったか否かを判定する。具体的には、制御回路３０３は高周波回路３０６に制御信号を出力し、高周波回路３０６及びアンテナ３０５を介し、無線タグラベルＴの無線タグ回路素子ＴｏのＩＣ回路部１５０に記憶されたタグＩＤを読み取るための読み取り信号を送信させる。その後、上記読み取り信号に対応し無線タグ回路素子Ｔｏから返信されたリプライ信号がアンテナ３０５を介し受信され、高周波回路３０６を介し制御回路３０３へ取り込まれる。制御回路３０３がリプライ信号を受信するまで本ステップを繰り返し、受信した場合には次のステップＳ１５に移る。
【００６０】
ステップＳ１５では、制御回路３０３は、上記ステップＳ１０において無線タグラベルＴから受信したリプライ信号に基づき、無線タグ回路素子ＴｏのタグＩＤを取得する。
【００６１】
ステップＳ２０では、制御回路３０３は、上記ステップＳ１５で取得したタグＩＤに基づき、無線タグラベルＴが主タグラベルＴａであるか否かを判定する。無線タグラベルＴが主タグラベルＴａである場合には、次のステップＳ２５に移る。
【００６２】
ステップＳ２５では、制御回路３０３は、通信回線ＮＷを介してデータベース２００にアクセスし、上記ステップＳ１５で取得したタグＩＤに基づきデータベース２００を検索して、当該タグＩＤに対応する特許案件に関連付けられて登録された全ての音声データが登録されているか否かを判定する。ここで、上記全ての音声データとは、当該主タグラベルＴａに対応する従タグラベルＴｃのタグＩＤに関連付けられた音声データも含むものである（例えば図５に示す例では第１〜第３伝言に相当する音声データ）。さらに効果音設定（後述）が行われている場合には、当該効果音データも含むものである。音声データが登録されていない場合には、後述するステップＳ１００に移る。一方、音声データが登録されている場合には、次のステップＳ３０に移る。
【００６３】
ステップＳ３０では、制御回路３０３は、上記主タグラベルＴａに対応する特許案件に関連して登録されている全音声データをデータベース２００から取得し、音声出力部３２１に制御信号を出力して当該音声データを復号・再生して、スピーカ３２０から対応する音声を出力させる。なおこのとき、上記音声データに対応して効果音が設定されている場合には、制御回路３０３は、データベース２００から音声データと共に効果音データを取得し、最初に効果音を再生して、その後音声を再生する。また、音声データが登録されておらず、効果音設定のみなされている場合には、効果音のみを再生するようになっている。
【００６４】
次のステップＳ３５では、制御回路３０３は、操作者が再生終了操作（表示部３０１に表示された再生終了ボタン３３０（後述の図８参照）を押す等。あるいは操作部３０２を操作してもよい）を行ったか否かを判定する。再生終了操作がなされていない場合には、上記ステップＳ３０に戻り、繰り返し音声データの再生を行う。一方、再生終了操作がなされた場合には、次のステップＳ１００に移る。
【００６５】
ステップＳ１００では、制御回路３０３は、主タグラベルＴａを使用する操作者（知財担当者）による各種作業手順を行うための主タグモード処理を行う（詳細手順は後述の図９参照）。その後、後述するステップＳ６０に移る。
【００６６】
一方、先のステップＳ２０において、無線タグラベルＴが従タグラベルＴｃである場合には、次のステップＳ４０に移る。
【００６７】
ステップＳ４０では、制御回路３０３は、通信回線ＮＷを介してデータベース２００にアクセスし、上記ステップＳ１５で取得したタグＩＤに基づきデータベース２００を検索して、当該タグＩＤに対応する特許案件の書類処理の進捗を表す進捗情報（前述した作業工程１〜１１のどの工程であるかを表す情報）を読み出す。
【００６８】
ステップＳ４５では、制御回路３０３は、通信回線ＮＷを介してデータベース２００にアクセスし、上記ステップＳ１５で取得したタグＩＤ基づきデータベース２００を検索して、当該タグＩＤに対応する特許案件に関連付けられて登録された全音声データ（当該従タグラベルＴｃに対応する主タグラベルＴａに関連付けられた音声データも含む。効果音データ含む）のうち、上記ステップＳ４０で取得した進捗情報に対応した音声データ（言い換えれば進捗が一致する音声データ）が登録されているか否かを判定する。具体的には、例えば知財担当者が主タグラベルＴａを用いて録音対象として発明者明細書チェック（作業工程８）を選択して音声データを登録した場合において、発明者クレームチェック（作業工程５）において従タグラベルＴｃの情報読み取りを行った場合には進捗が一致する音声データは登録されていないと判定し、発明者明細書チェック時（作業工程８）に従タグラベルＴｃの情報読み取りを行った場合には進捗が一致する音声データが登録されていると判定する。また例えば、前述の図５に示す場合のように複数の発明者の間で回覧が行われる場合に、前の回覧者である発明者Ａが従タグラベルＴｃを用いて音声データ（第３伝言に相当）を登録した場合において、後の回覧者である発明者Ｂが同じ従タグラベルＴｃの情報読み取りを行った場合には、進捗が一致する音声データが登録されていると判定する。進捗が一致する音声データが登録されていない場合には、後述するステップＳ２００に移る。一方、進捗が一致する音声データが登録されている場合には、次のステップＳ５０に移る。
【００６９】
ステップＳ５０では、制御回路３０３は、上記進捗が一致する音声データをデータベース２００から取得し、音声出力部３２１に制御信号を出力して当該音声データを復号・再生して、スピーカ３２０から対応する音声を出力させる。なおこのとき、上記音声データに対応して効果音が設定されている場合には、制御回路３０３は、データベース２００から音声データと共に効果音データを取得し、最初に効果音を再生して、その後音声を再生する。また、音声データが登録されておらず、効果音設定のみなされている場合には、効果音のみを再生するようになっている。
【００７０】
次のステップＳ５５では、制御回路３０３は、操作者が再生終了操作（表示部３０１に表示された上記再生終了ボタン３３０（後述の図８参照）を押す等。あるいは操作部３０２を操作してもよい）を行ったか否かを判定する。再生終了操作がなされていない場合には、上記ステップＳ５０に戻り、繰り返し音声データの再生を行う。一方、再生終了操作がなされた場合には、次のステップＳ２００に移る。
【００７１】
ステップＳ２００では、制御回路３０３は、従タグラベルＴｃを使用する操作者（知財担当者及び発明者）による各種作業手順を行うための従タグモード処理を行う（詳細手順は後述の図２６参照）。
【００７２】
次のステップＳ６０では、制御回路３０３は、作業を終了するか否かを判定する。具体的には、操作者がリーダ３００において上記作業を行うためのソフトウェアを閉じたり、リーダ３００の電源を落としたりした場合に作業終了と判定し、本フローを終了する。それ以外の場合には、先のステップＳ１０に戻る。
【００７３】
なお、上記において、ステップＳ３０及びステップＳ５０は、特許請求の範囲各項記載の読み取り装置で無線タグ回路素子から読み取った識別情報に基づき、データベースより音声データの取得を行う音声データ取得手段を構成する。
【００７４】
図７は、上記ステップＳ１０において、制御回路３０３が無線タグラベルＴからの情報読み取りを行う際に表示部３０１に表示させる画面の一例を表す図であり、図８は、上記ステップＳ３０又はステップＳ５０において、制御回路３０３が音声データの再生中に表示部３０１に表示させる画面の一例を表す図である。
【００７５】
リーダ３００の表示部３０１に表示された図７に示す情報読み取り画面に従って、操作者が主タグラベルＴａ又は従タグラベルＴｃから情報読み取りを行うと、対応する音声データが登録されている場合には、表示部３０１に図８に示す音声再生中画面が表示されると共に、スピーカ３２０を介し音声データが再生される。この音声データの再生は、操作者が画面上に表示された再生終了ボタン３３０を押すまで繰り返し行われる。
【００７６】
図９は、上記ステップＳ１００の主タグモード処理の詳細手順を表すフローチャートである。
【００７７】
まずステップＳ１１０では、制御回路３０３は、作業モードが「マスタメンテナンス」モードであるか否かを判定する。ここで、主タグモード処理における作業モードとは、知財担当者が各種設定や設定変更等を行うための「マスタメンテナンス」モード、知財担当者が伝言（図５に示す例では第１伝言に相当）を録音するための「伝言録音（管理者用）」モード、知財担当者が伝言と共に（又は単独で）再生させる効果音を設定するための「効果音設定（管理者用）」モード、及び、知財担当者及び発明者の両方が操作可能なモードであり、主・従タグラベルＴａ，Ｔｃのラベル作成や進捗の更新・一覧表示等を行うための「特許進捗管理」モードのことである。これら作業モードの判定は、制御回路３０３が表示部３０１にモード選択画面（後述の図１０参照）を表示させ、操作者がその画面に基づいて操作部３０２を用いて（あるいは操作ペンを用いて画面上でクリックする等でもよい。以下同様）操作入力したモード選択信号に基づき行う。「マスタメンテナンス」モードが選択されている場合には、ステップＳ１１５に移り、制御回路３０３は、各種設定や設定変更等を行うためのマスタメンテナンス処理を行う。その後、後述するステップＳ１５０に移る。一方、「マスタメンテナンス」モードが選択されていない場合には、次のステップＳ１２０に移る。
【００７８】
ステップＳ１２０では、制御回路３０３は、作業モードが「伝言録音（管理者用）」モードであるか否かを判定する。「伝言録音（管理者用）」モードが選択されている場合には、ステップＳ３００に移り、知財担当者が伝言（前述の第１伝言に相当）を録音するための伝言録音処理（管理者用）を行う（後述の図２０参照）。その後、後述するステップＳ１５０に移る。一方、「伝言録音（管理者用）」モードが選択されていない場合には、次のステップＳ１３０に移る。
【００７９】
ステップＳ１３０では、制御回路３０３は、作業モードが「効果音設定（管理者用）」モードであるか否かを判定する。「効果音設定（管理者用）」モードが選択されている場合には、ステップＳ４００に移り、知財担当者が効果音を設定するための効果音設定処理（管理者用）を行う（後述の図２４参照）。その後、後述するステップＳ１５０に移る。一方、「効果音設定（管理者用）」モードが選択されていない場合には、次のステップＳ１４０に移る。
【００８０】
ステップＳ１４０では、制御回路３０３は、作業モードが「特許進捗管理」モードであるか否かを判定する。「特許進捗管理」モードが選択されている場合には、ステップＳ５００に移り、進捗管理を行うための特許進捗管理処理を行う（後述の図１１参照）。その後、後述するステップＳ１５０に移る。一方、「特許進捗管理」モードが選択されていない場合には、次のステップＳ１５０に移る。
【００８１】
ステップＳ１５０では、制御回路３０３は、主タグモード処理を終了するか否かを判定する。具体的には、操作者がリーダ３００において上記主タグモード処理を行うためのソフトウェアを閉じたり、主タグモード処理を終了するための操作を行った場合等に終了と判定し、本サブルーチンを終了する。それ以外の場合には、先のステップＳ１１０に戻る。
【００８２】
なお、上記において、伝言録音処理及び効果音設定処理が管理者用となっているのは、後述する回覧者用の伝言録音処理及び効果音設定処理（図２６参照）と区別するためのものである。ここでいう管理者とは、本実施形態では知財担当者を指すものである。
【００８３】
図１０は、上記主タグモード処理において、制御回路３０３が表示部３０１に表示させるモード選択画面の一例を表す図である。
【００８４】
図１０に示すように、主タグモード処理においては「マスタメンテナンス」モード、「伝言録音（管理者用）」モード、「効果音設定（管理者用）」モード、及び「特許進捗管理」モードの４つの作業モードがあり、この選択画面において、操作者が操作部３０２を用いて所望の作業モードを選択すると、作業モードが選択入力される。
【００８５】
次に、上記主タグモード処理における複数の作業モードのうち、まず特許進捗管理処理について図１１を参照しつつ説明する。図１１は、上記ステップＳ５００の特許進捗管理処理の詳細手順を表すフローチャートである。
【００８６】
まずステップＳ５１０では、制御回路３０３は、作業モードが「ラベル発行」モードであるか否かを判定する。ここで、特許進捗管理処理における作業モードとは、無線タグラベルＴを作成させるための「ラベル発行」モード、進捗を更新させるための「進捗更新」モード、進捗を表示させるための「進捗一覧表示」モードのことである。これら作業モードの判定は、制御回路３０３が表示部３０１にモード選択画面（後述の図１２参照）を表示させ、操作者がその画面に基づいて操作部３０２を用いて入力したモード選択信号に基づき行う。「ラベル発行」モードが選択されている場合には、ステップＳ１０００に移り、無線タグラベルＴの作成を行うラベル発行処理を行う（後述の図１３参照）。その後、後述するステップＳ５４０に移る。一方、「ラベル発行」モードが選択されていない場合には、次のステップＳ５２０に移る。
【００８７】
ステップＳ５２０では、制御回路３０３は、作業モードが「進捗更新」モードであるか否かを判定する。「進捗更新」モードが選択されている場合には、ステップＳ１１００に移り、進捗を進行させる進捗更新処理を行う（後述の図１７参照）。その後、後述するステップＳ５４０に移る。一方、「進捗更新」モードが選択されていない場合には、次のステップＳ５３０に移る。
【００８８】
ステップＳ５３０では、制御回路３０３は、作業モードが「進捗一覧表示」モードであるか否かを判定する。「進捗一覧表示」モードが選択されている場合には、ステップＳ１２００に移り、表示部３０１に進捗一覧表示を行わせるための進捗一覧表示処理を行う（後述の図１８参照）。その後、後述するステップＳ５４０に移る。一方、「進捗一覧表示」モードが選択されていない場合には、次のステップＳ５４０に移る。
【００８９】
ステップＳ５４０では、制御回路３０３は、特許進捗管理処理を終了するか否かを判定する。具体的には、操作者がリーダ３００において上記特許進捗管理処理を行うためのソフトウェアを閉じたり、特許進捗管理処理を終了するための操作を行った場合等に終了と判定し、本サブルーチンを終了する。それ以外の場合には、先のステップＳ５１０に戻る。
【００９０】
図１２は、上記特許進捗管理処理において、制御回路３０３が表示部３０１に表示させるモード選択画面の一例を表す図である。
【００９１】
図１２に示すように、特許進捗管理処理においては「ラベル発行」モード、「進捗更新」モード、及び「進捗一覧表示」モードの３つの作業モードがあり、この選択画面において、操作者が操作部３０２を用いて所望の作業モードを選択すると、作業モードが選択入力される。
【００９２】
図１３は、上記ステップＳ１０００のラベル発行処理の詳細手順を表すフローチャートである。
【００９３】
まずステップＳ１０１０において、制御回路３０３は、発行する無線タグラベルＴが新規案件に対応するものであるか否かを判定する。この判定は、制御回路３０３が、操作者が操作部３０２を用いて入力した新規案件である旨の入力信号（例えば画面に表示された「新規登録」ボタンを押すことにより入力される）を受信したか否かによって行われる。入力信号を受信した場合（新規登録である場合）には、次のステップＳ１３００に移る。
【００９４】
ステップＳ１３００では、制御回路３０３は新規案件を登録する際の最初の無線タグラベルＴである上記主タグラベルＴａを作成するための主タグラベル発行処理を行う（後述の図１４参照）。そして、本サブルーチンを終了する。
【００９５】
一方、上記ステップＳ１０１０において入力信号を受信していない場合（新規登録でない場合）には、ステップＳ１４００に移る。このステップＳ１４００では、制御回路３０３は、既に主タグラベルＴａが作成された案件について主タグラベルＴａの作成後に作成される無線タグラベルＴである上記従タグラベルＴｃを作成するための従タグラベル発行処理を行う（後述の図１５参照）。そして、本サブルーチンを終了する。
【００９６】
図１４は、上記ステップＳ１３００の主タグラベル発行処理の詳細手順を表すフローチャートである。
【００９７】
まずステップＳ１３１０では、制御回路３０３は、表示部３０１に制御信号を出力し、表示部３０１に案件情報入力画面を表示させる。案件情報入力画面は知財担当者が新規に特許案件を登録する際に案件情報を入力する画面であり、知財整理番号（出願識別情報）、発明のタイトル、代表発明者、発注する代理人（特許事務所）、登録日等の入力欄を有している。
【００９８】
次のステップＳ１３２０では、制御回路３０３は、知財担当者が上記案件情報入力画面を参照しつつ操作部３０２を用いて入力した案件情報を取得する。
【００９９】
次のステップＳ１３３０では、制御回路３０３は主タグラベルＴａの発行を行うか否かを判定する。この判定は、制御回路３０３が、知財担当者が操作部３０２を用いて入力した発行指令信号（例えば画面に表示された「発行」ボタンを押すことにより入力される）を受信したか否かによって行われる。発行指令信号を受信しない場合には上記ステップＳ１３２０に戻る。一方、発行指令信号を受信した場合には次のステップＳ１３４０に移る。
【０１００】
ステップＳ１３４０では、制御回路３０３は作成する主タグラベルＴａの無線タグ回路素子Ｔｏに書き込むタグＩＤを設定する。この設定は、例えば制御回路３０３が通信回線ＮＷを介してデータベース２００にアクセスし、このデータベース２００に格納されたタグＩＤデータベースから適宜のＩＤを読み出すことにより行う。なお、タグＩＤ設定用のデータベースをデータベース２００とは別に設けるようにしてもよい。
【０１０１】
ステップＳ１３５０では、制御回路３０３は作成する主タグラベルＴａに印字する印字情報を作成する。例えば、主タグラベルＴａにタグラベルの用途（主タグラベルＴａの場合には「フォルダ用」）、知財整理番号、代表発明者、代理人、及び発明のタイトル等を印字する場合には、上記印字情報はこれらの情報を含むようになっている。
【０１０２】
次のステップＳ１３６０では、制御回路３０３は、上記ステップＳ１３４０で設定したタグＩＤ及び上記ステップＳ１３５０で作成した印字情報を、通信回線ＮＷを介してタグラベル作成装置１００の制御回路１０２に送信する。
【０１０３】
ステップＳ１３７０では、制御回路３０３は、タグラベル作成装置１００において主タグラベルＴａの作成が完了した際に制御回路１０２から送信される主タグラベル作成完了信号（後述の図１６中ステップＳ８４０参照）を通信回線ＮＷを介して受信したか否かを判定する。主タグラベル作成完了信号を受信するまで本ステップを繰り返し、受信した場合には次のステップＳ１３８０に移る。
【０１０４】
ステップＳ１３８０では、制御回路３０３は、上記ステップＳ１３４０で設定したタグＩＤとステップＳ１３２０で入力した案件情報、及びステップＳ１３５０で作成した印字情報とを関連付けて、通信回線ＮＷを介してデータベース２００に送信し、登録する。
【０１０５】
次のステップＳ１３９０では、制御回路３０３は作成した主タグラベルＴａの作成後に作成される従タグラベルＴｃ、すなわちクレーム用及び明細書原稿用の２つの従タグラベルＴｃのタグＩＤを上記ステップＳ１３４０と同様にして設定し、これらの従タグラベルＴｃ用のタグＩＤ（以下、適宜「従タグＩＤ」と記載）を上記ステップＳ１３８０で登録した主タグラベルＴａ用のタグＩＤ（以下、適宜「主タグＩＤ」と記載）と関連付けて、通信回線ＮＷを介してデータベース２００に送信し、登録する。そして、本サブルーチンを終了する。
【０１０６】
図１５は、上記ステップＳ１４００の従タグラベル発行処理の詳細手順を表すフローチャートである。
【０１０７】
まずステップＳ１４１０では、制御回路３０３は、登録された案件の中から従タグラベルＴｃを作成する案件が選択されたか否かを判定する。この判定は、制御回路３０３が、知財担当者が操作部３０２を用いて入力した案件選択信号（例えば登録された案件一覧を画面に表示し、知財担当者がその一覧の中から特定の案件を選択することにより入力される）を受信したか否かによって行われる。案件選択信号を受信するまで本ステップを繰り返し、受信したら次のステップＳ１４２０に移る。
【０１０８】
ステップＳ１４２０では、制御回路３０３は、従タグラベルＴｃの発行を行うか否かを判定する。この判定は、制御回路３０３が、知財担当者が操作部３０２を用いて入力した発行指令信号（例えば画面に表示された「発行」ボタンを押すことにより入力される）を受信したか否かによって行われる。発行指令信号を受信するまで本ステップを繰り返し、受信した場合には次のステップＳ１４３０に移る。
【０１０９】
ステップＳ１４３０では、制御回路３０３は、上記ステップＳ１４１０で選択された案件が所定の作業工程まで進捗しているか否かを判定する。具体的には、前述した１１工程のうちのクレーム受領（工程４）又は明細書原稿受領（工程７）の工程まで進捗しているか否かを判定する。クレーム受領（工程４）又は明細書原稿受領（工程７）まで進捗していない場合には、ステップＳ１４４０に移り、表示部３０１に制御信号を送信して所定のエラー表示（例えば「クレームを受領していません」「明細書原稿を受領していません」等）を行わせる。一方、クレーム受領（工程４）又は明細書原稿受領（工程７）まで進捗している場合には、次のステップＳ１４５０に移る。
【０１１０】
ステップＳ１４５０では、制御回路３０３は、通信回線ＮＷを介してデータベース２００にアクセスし、作成する従タグラベルＴｃ（作業工程がクレーム受領（工程４）まで進捗している場合にはクレーム用の従タグラベルＴｃであり、作業工程が明細書原稿受領（工程７）まで進捗している場合には明細書原稿用の従タグラベルＴｃである。以下同様）の無線タグ回路素子Ｔｏに書き込むタグＩＤを読み出し取得する（前述したように、これら従タグＩＤは主タグラベルＴａ作成時に予め設定され、データベース２００に格納されている）。
【０１１１】
次のステップＳ１４６０では、制御回路３０３は、作成する従タグラベルＴｃに印字する印字情報を作成する。例えば、上述した主タグラベルＴａと同様に、タグラベルの用途（従タグラベルＴｃの場合には「クレーム用」又は「明細書用」）、知財整理番号、代表発明者、代理人、及び発明のタイトル等を印字する場合には、上記印字情報はこれらの情報を含むようになっている。
【０１１２】
次のステップＳ１４７０では、制御回路３０３は、上記ステップＳ１４５０で取得したタグＩＤ及び上記ステップＳ１４６０で作成した印字情報を、通信回線ＮＷを介してタグラベル作成装置１００の制御回路１０２に送信する。
【０１１３】
ステップＳ１４８０では、制御回路３０３は、タグラベル作成装置１００において従タグラベルＴｃの作成が完了した際に制御回路１０２から送信される従タグラベル作成完了信号（後述の図１６中ステップＳ８４０参照）を通信回線ＮＷを介して受信したか否かを判定する。従タグラベル作成完了信号を受信するまで本ステップを繰り返し、受信した場合には次のステップＳ１４９０に移る。
【０１１４】
ステップＳ１４９０では、制御回路３０３は、上記ステップＳ１４５０で取得したタグＩＤと、案件情報及びステップＳ１４６０で作成した印字情報とを関連付けて、通信回線ＮＷを介してデータベース２００に送信し、登録する。そして、本サブルーチンを終了する。
【０１１５】
図１６はタグラベル作成装置１００の制御回路１０２によって実行される制御手順を表すフローチャートである。
【０１１６】
図１６において、まずステップＳ８１０において、制御回路１０２は、通信回線ＮＷを介してリーダ３００の制御回路３０３からタグＩＤ及び印字情報を受信したか否かを判定する（図１４中ステップＳ１３６０、図１５中ステップＳ１４７０参照）。タグＩＤ及び印字情報を受信するまで本ステップを繰り返し、受信したら次のステップＳ８２０に移る。
【０１１７】
ステップＳ８２０では、制御回路１０２は、高周波回路１０１によりアクセス情報を生成して装置側アンテナ１０６を介して無線タグ回路素子Ｔｏへ送信し、ＩＣ回路部１５０へ上記ステップＳ８１０で受信したタグＩＤの書き込みを行う。また、上記ステップＳ８１０で受信した印字情報に基づいた印字ヘッド１０５による印字を行う。
【０１１８】
次のステップＳ８３０では、制御回路１０２は、カッタ１０７を駆動させて上記印字及び無線タグ回路素子Ｔｏへの情報書き込みが終了したタグテープ１０３を所定の長さに切断し、１つの無線タグ回路素子Ｔｏを備えた無線タグラベルＴ（主タグラベルＴａ、従タグラベルＴｃ）を作成する。
【０１１９】
次のステップＳ８４０では、制御回路１０２は無線タグラベルＴ（主タグラベルＴａ又は従タグラベルＴｃ）の作成が完了した旨を表すラベル作成完了信号を、通信回線ＮＷを介してリーダ３００の制御回路３０３に送信する。そして、本フローチャートを終了する。
【０１２０】
図１７は、前述した特許進捗管理処理におけるステップＳ１１００の進捗更新処理の詳細手順を表すフローチャートである。なお、前述したように各案件の作業工程は社内打合せ（工程１）、依頼書発送（工程２）、特許事務所打合せ（工程３）、クレーム受領（工程４）、発明者クレームチェック（工程５）、知財クレームチェック（工程６）、明細書原稿受領（工程７）、発明者明細書チェック（工程８）、知財明細書チェック（工程９）、出願（工程１０）、審査請求（工程１１）の１１工程から構成されているが、本実施形態では工程１〜４については主タグラベルＴａ、工程５〜６についてはクレーム用の従タグラベルＴｃ、工程７については主タグラベルＴａ、工程８〜９については明細書原稿用の従タグラベルＴｃ、その後の工程１０〜１１については主タグラベルＴａを用いて進捗更新を行うようになっている。以下の図１７の説明においては、タグラベルの種類を区別せずに単に無線タグラベルＴとして説明する。
【０１２１】
まずステップＳ１１１０では、制御回路３０３は、無線タグラベルＴからタグＩＤの読み取りを行ったか否かを判定する。具体的には、制御回路３０３は、高周波回路３０６及びアンテナ３０５を介し、無線タグラベルＴの無線タグ回路素子ＴｏのＩＣ回路部１５０に記憶されたタグＩＤを読み取るための読み取り信号を送信させる。その後、上記読み取り信号に対応し無線タグ回路素子Ｔｏから返信されたリプライ信号がアンテナ３０５を介し受信され、高周波回路３０６を介し制御回路３０３へ取り込まれたかどうかを判定する。リプライ信号の受信を行うまで本ステップを繰り返し、受信した場合には次のステップＳ１１２０に移る。
【０１２２】
ステップＳ１１２０では、制御回路３０３は、上記ステップＳ１１１０において受信したリプライ信号に基づき、無線タグ回路素子ＴｏのタグＩＤを取得する。
【０１２３】
次のステップＳ１１３０では、制御回路３０３は、通信回線ＮＷを介してデータベース２００にアクセスし、上記ステップＳ１１２０で取得したタグＩＤに基づき検索して、当該タグＩＤに対応する特許案件の案件情報及び進捗情報を読み出す。
【０１２４】
次のステップＳ１１４０では、制御回路３０３は、上記ステップＳ１１３０で読み出した案件の進捗情報に基づき、表示部３０１に制御信号を送信して次の作業工程に対応する進捗更新画面の表示を行わせる。例えば、現在の進捗状況が特許事務所打合せ（工程３）まで終了している場合、次のクレーム受領（工程４）に対応する更新画面の表示を行う。
【０１２５】
次のステップＳ１１５０では、制御回路３０３は、知財担当者が上記更新画面を参照しつつ操作部３０２を用いて入力した更新情報を受信する。上記の例では、クレーム受領（工程４）に対応する更新画面において知財担当者が入力したクレーム受領日を受信する。
【０１２６】
次のステップＳ１１６０では、制御回路３０３は、進捗更新を行うか否かを判定する。この判定は、制御回路３０３が、知財担当者が操作部３０２を用いて入力した更新指令信号（例えば画面に表示された「更新」ボタンを押すことにより入力される）を受信したか否かによって行われる。更新指令信号を受信しない場合（更新を行わない場合）には上記ステップＳ１１５０に戻る。一方、更新指令信号を受信した場合（更新を行う場合）には次のステップＳ１１７０に移る。
【０１２７】
ステップＳ１１７０では、制御回路３０３は、上記ステップＳ１１５０で入力した更新情報を通信回線ＮＷを介してデータベース２００に送信し、進捗情報を更新する。そして、本サブルーチンを終了する。
【０１２８】
以上のような制御により、知財担当者が作業を管理する工程１〜４，７，１０，１１については知財担当者が主タグラベルＴａを用いて進捗を更新し、クレーム用の従タグラベルＴｃを発行した後は、その従タグラベルＴｃをクレーム原稿に取り付けることにより、発明者がクレームチェック終了時にクレーム原稿に取り付けられた従タグラベルＴｃを用いて進捗を工程５から工程６に更新し、知財担当者が従タグラベルＴｃを用いて進捗を工程６から工程７に更新することができる。同様に、明細書原稿用の従タグラベルＴｃを発行した後は、その従タグラベルＴｃを明細書原稿に取り付けることにより、発明者が明細書チェック終了時に明細書原稿に取り付けられた従タグラベルＴｃを用いて進捗を工程８から工程９に更新し、知財担当者が従タグラベルＴｃを用いて進捗を工程９から工程１０に更新することができるようになっている。
【０１２９】
図１８は、前述した特許進捗管理処理におけるステップＳ１２００の進捗一覧表示処理の詳細手順を表すフローチャートである。なお、この進捗一覧表示は案件の進捗に関わりなく主タグラベルＴａ又は従タグラベルＴｃのいずれを用いても表示することが可能となっている。したがって、以下の図１８の説明においては、タグラベルの種類を区別せずに単に無線タグラベルＴとして説明する。
【０１３０】
まず、ステップＳ１２１０では、制御回路３０３は、無線タグラベルＴの無線タグ回路素子Ｔｏからリプライ信号を受信したか否かを判定する。リプライ信号を受信するまで本ステップを繰り返し、受信を行った場合には判定が満たされて次のステップＳ１２２０に移る。
【０１３１】
ステップＳ１２２０では、制御回路３０３は、上記ステップＳ１２１０において受信したリプライ信号に基づき、無線タグ回路素子ＴｏのタグＩＤを取得する。
【０１３２】
次のステップＳ１２３０では、制御回路３０３は、通信回線ＮＷを介してデータベース２００にアクセスし、上記ステップＳ１２２０で取得したタグＩＤに基づきデータベース２００を検索し、対応する特許案件の案件情報及び進捗情報を読み出す。
【０１３３】
次のステップＳ１２４０では、制御回路３０３は、表示部３０１に制御信号を出力し、上記ステップＳ１２３０でデータベース２００から読み出した案件情報及び進捗情報を表示部３０１に表示させる。そして、本サブルーチンを終了する。
【０１３４】
なお、上記進捗一覧表示処理において、例えば知財担当者が担当する案件が複数存在するような場合（あるいは発明者が複数の案件について発明者として関わっている場合等）には、当該複数の特許案件について進捗状況を一覧表示させてもよい。この場合、例えば各操作者がシステムにログオンする際に個人識別情報を入力するようにしておき、データベース２００を検索する際に、当該識別情報に基づき同一操作者が担当する複数の案件について進捗情報を取得するようにすればよい。
【０１３５】
図１９は上記制御によってリーダ３００の表示部３０１に表示される進捗一覧表示の一例を表す図である。ここでは、複数の案件を一覧表示した場合を示している。
【０１３６】
図１９において、この例では知財担当者が担当する特許案件は６件あり、各案件について知財整理番号、発明のタイトル、代表発明者、進捗状態、最終工程日、及び進捗グラフがそれぞれ表示されている。この図１９に示すように、各特許案件は、時間的順序に沿って予め設定された複数の作業工程（１１工程）により完遂されるようになっている。
【０１３７】
上記進捗グラフには、全工程のうち完了した工程について「○」の記号が表示されている。例えば知財整理番号が「２００７−０００２７」である案件の進捗状況は、知財担当者によるクレームチェックまで終了しており、現在特許事務所からの明細書原稿待ちの状態である。なお、矢印「→」が表示された工程は、知財担当者による作業の実行が省略され次の工程にスキップされたことを示す。例えば上記整理番号「２００７−０００２７」の案件においては、例えば社内打合せ（工程１）に特許事務所の所員も参加した等の事情により特許事務所打合せ（工程３）が省略されたことを示している。
【０１３８】
なお、上記では進捗一覧表示をリーダ３００の表示部３０１で行うようにしたが、これに限られず、例えば通信回線ＮＷに接続された図示しない端末（ＰＣ等）に対し案件情報及び進捗情報を送信し、当該端末の表示部に進捗一覧を表示させるようにしてもよい。これにより、携帯型のリーダ３００の表示部３０１に表示させるよりも大画面にて進捗一覧表示を行うことができ、操作者に対する視認性を向上できる。
【０１３９】
図２０は、前述した主タグモード処理におけるステップＳ３００の伝言録音処理（管理者用）の詳細手順を表すフローチャートである。
【０１４０】
まずステップＳ３１０では、制御回路３０３は、操作者（ここでは知財担当者。以下本フローにおいて同様）により戻り操作が行われたか否かを判定する。この判定は、制御回路３０３が、表示部３０１に制御信号を送信して表示部３０１に録音開始画面（後述の図２１参照）を表示させ、操作者がその画面において入力した操作入力信号に基づき行う。戻り操作が行われた場合（画面上の「前の画面に戻る」をクリックする等）には、本サブルーチンを終了する。一方、戻り操作が行われていない場合には、次のステップＳ３２０に移る。
【０１４１】
ステップＳ３２０では、制御回路３０３は、伝言を録音する対象となる作業工程が選択されたか否かを判定する。この判定は、操作者が上述した録音開始画面（後述の図２１参照）において入力した操作入力信号（操作部３０２を用いて所望の作業工程のチェックボックスにチェックを行う等）に基づき行う。ここで操作者が選択可能な作業工程は、発明者クレームチェック（工程５）及び発明者明細書チェック（工程８）の２つである。作業工程が選択されるまで本ステップを繰り返し、選択されると次のステップＳ３３０に移る。
【０１４２】
ステップＳ３３０では、制御回路３０３は、操作者が録音開始操作（表示部３０１に表示された録音開始ボタン３４０（後述の図２１参照）を押す等。あるいは操作部３０２を操作してもよい）を行ったか否かを判定する。録音開始操作が行われるまで本ステップを繰り返し、録音開始操作が行われると次のステップＳ３４０に移る。
【０１４３】
ステップＳ３４０では、制御回路３０３は、操作者がマイク３１０を介して入力し、音声入力部３１１で符号化・データ圧縮された音声データを入力する録音処理を行う。なお、ここで録音される操作者の伝言が、前述の図５に示す例における第１伝言に相当する。
【０１４４】
次のステップＳ３５０では、制御回路３０３は、操作者が録音終了操作（表示部３０１に表示された録音終了ボタン３５０（後述の図２２参照）を押す等。あるいは操作部３０２を操作してもよい）を行ったか否かを判定する。録音終了操作が行われない場合は上記ステップＳ３４０に戻り、録音終了操作が行われるまで上記録音処理を継続する。一方、録音終了操作が行われると次のステップＳ３６０に移る。
【０１４５】
ステップＳ３６０では、制御回路３０３は、上記ステップＳ３４０において伝言を録音した作業工程以外に伝言を録音したい作業工程があるか否か（言い換えればもう一方の作業工程に対し伝言を録音するか否か）を判定する。この判定は、操作者が録音継続操作（操作者が表示部３０１に表示された「ＹＥＳ」ボタン３６０（後述の図２３参照）を押す等。あるいは操作部３０２を操作してもよい）を行ったか否かに基づき行う。録音継続操作が行われた場合には、他に録音したい作業工程があるとみなして先のステップＳ３２０に戻る。一方、録音継続操作が行われない（操作者が表示部３０１に表示された「ＮＯ」ボタン３７０（後述の図２３参照）を押す等。あるいは操作部３０２を操作してもよい）場合には、次のステップＳ３７０に移る。
【０１４６】
ステップＳ３７０では、制御回路３０３は、上記ステップＳ３２０で選択された作業工程及びステップＳ３４０で録音した音声データを通信回線ＮＷを介してデータベース２００に送信し、対応する特許案件の情報（タグＩＤ等）に関連付けて登録する。これにより、本サブルーチンを終了する。
【０１４７】
図２１は、上記ステップＳ３１０乃至ステップＳ３３０において、制御回路３０３が表示部３０１に表示させる録音開始画面の一例を表す図である。また図２２は、上記ステップＳ３４０で録音処理を行っている最中に、制御回路３０３が表示部３０１に表示させる録音中画面の一例を表す図である。また図２３は、上記ステップＳ３６０において、制御回路３０３が表示部３０１に表示させる録音完了画面の一例を表す図である。
【０１４８】
図２１に示すように、操作者（知財担当者）による伝言の録音対象となる作業工程として、「クレームチェック」及び「明細書チェック」の２種類が予め用意されている。操作者は、所望の作業工程のチェックボックスにチェックを行うことにより、作業工程を選択する。この図に示す例では「明細書チェック」が選択されている。作業工程を選択した状態で、操作者が画面上に表示された録音開始ボタン３４０を押すと、表示部３０１の表示が図２２に示す録音中画面に切り替わり、録音処理が開始される。この操作者による伝言（前述の図５に示す例における第１伝言に相当）の録音は、操作者が画面上に表示された録音終了ボタン３５０を押すまで継続される。操作者が録音終了ボタン３５０を押すと、表示部３０１の表示が図２３に示す録音完了画面に切り替わる。この録音完了画面には、操作者に対し既に伝言を録音した作業工程以外に伝言を録音したい作業工程があるか否かを確認するためのＹＥＳボタン３６０及びＮＯボタン３７０が表示されており、操作者がＹＥＳボタン３６０を押すと、表示部３０１の表示が再び図２１に示す録音開始画面に切り替わる。この際、録音開始画面において、既に録音が完了している作業工程については録音状態が「完」と、まだ録音が完了していない作業工程については録音状態が「未」と表示され、一見して録音状態を確認できるようになっている。一方、操作者がＮＯボタン３７０を押すと、伝言録音処理が終了し、表示部３０１の表示が前述の図１０に示すモード選択画面に戻るようになっている。
【０１４９】
なお、図２１に示す録音開始画面を表示させたものの伝言録音処理（管理者用）を行わない場合には、操作者が戻り操作を行う（図中「前の画面に戻る」部分をクリックする等）と、伝言録音処理（管理者用）がキャンセルされるようになっている。
【０１５０】
図２４は、前述した主タグモード処理におけるステップＳ４００の効果音設定処理（管理者用）の詳細手順を表すフローチャートである。
【０１５１】
まずステップＳ４１０では、制御回路３０３は、操作者（ここでは知財担当者。以下本フローにおいて同様）により戻り操作が行われたか否かを判定する。この判定は、制御回路３０３が、表示部３０１に制御信号を送信して表示部３０１に効果音設定画面（後述の図２５参照）を表示させ、操作者がその画面において入力した操作入力信号に基づき行う。戻り操作が行われた場合には、本サブルーチンを終了する。一方、戻り操作が行われていない場合には、次のステップＳ４２０に移る。
【０１５２】
ステップＳ４２０では、制御回路３０３は、効果音を設定する対象となる作業工程が選択されたか否かを判定する。この判定は、操作者が上述した効果音設定画面（後述の図２５参照）において入力した操作入力信号（所望の作業工程のチェックボックスにチェックを行う等）に基づき行う。ここで操作者が選択可能な作業工程は、前述の伝言録音対象と同様の、発明者クレームチェック（工程５）及び発明者明細書チェック（工程８）の２つである。作業工程が選択されるまで本ステップを繰り返し、選択されると次のステップＳ４３０に移る。
【０１５３】
ステップＳ４３０では、制御回路３０３は、効果音のパターンが選択されたか否かを判定する。効果音は予め複数種類のパターンが用意されており、操作者が上述した効果音設定画面（後述の図２５参照）において作業工程ごとにいずれかの効果音パターンを選択することが可能となっている。上記判定は、操作者が上述した効果音設定画面において入力した操作入力信号（所望の効果音パターンにチェックを行う等）に基づき行う。効果音パターンが選択されるまで本ステップを繰り返し、選択されると次のステップＳ４４０に移る。
【０１５４】
ステップＳ４４０では、操作者が効果音設定の完了操作（表示部３０１に表示された設定ボタン３８０（後述の図２５参照）を押す等。あるいは操作部３０２を操作してもよい）を行ったか否かを判定する。設定完了操作が行われない場合は上記ステップＳ４２０に戻る。一方、設定完了操作が行われると次のステップＳ４５０に移る。
【０１５５】
ステップＳ４５０では、制御回路３０３は、上記ステップＳ４２０で選択された作業工程及びステップＳ４３０で選択された効果音パターンに対応する効果音データを通信回線ＮＷを介してデータベース２００に送信し、対応する特許案件の情報（タグＩＤ等）に関連付けて登録する。これにより、本サブルーチンを終了する。
【０１５６】
図２５は、上記ステップＳ４１０乃至ステップＳ４４０において、制御回路３０３が表示部３０１に表示させる効果音設定画面の一例を表す図である。
【０１５７】
図２５に示すように、操作者（知財担当者）による効果音の設定対象となる作業工程として、「クレームチェック」及び「明細書チェック」の２種類が予め用意されている。操作者は、所望の作業工程のチェックボックスにチェックを行うことにより、作業工程を選択する。この図に示す例では「クレームチェック」及び「明細書チェック」の両方が選択されている。また各作業工程ごとに複数の効果音パターンが用意されており、操作者は、同様に、例えば録音した伝言の重要度等に応じた所望の効果音パターンを選択可能となっている。さらに各作業工程ごとに、既に伝言の録音が完了している作業工程については録音状態が「完」と、まだ録音が完了していない作業工程については録音状態が「未」と表示され、録音状態を確認できるようになっている。なお、効果音設定は、伝言が録音されていない作業工程に対しても設定可能となっている。作業工程及び効果音パターンを選択した状態で、操作者が画面上に表示された設定ボタン３８０を押すと、効果音設定が完了する。
【０１５８】
この図に示す例では、「クレームチェック」の工程には伝言が録音され、効果音としてパターン３が設定されている。この場合、発明者がクレームチェックする際に最初にパターン３の効果音が再生され、その後音声が再生される。一方、「明細書チェック」の工程には伝言が録音されておらず、効果音としてパターン１が設定されている。この場合、発明者が明細書チェックする際にパターン１の効果音のみが再生され、その後音声が再生される。
【０１５９】
図２６は、前述したステップＳ２００の従タグモード処理の詳細手順を表すフローチャートである。
【０１６０】
まずステップＳ２１０では、制御回路３０３は、作業モードが「伝言録音（回覧者用）」モードであるか否かを判定する。ここで、従タグモード処理における作業モードとは、操作者（発明者。以下このフローにおいて同様）が伝言（図５中第１〜第３伝言に相当）を録音するための「伝言録音（回覧者用）」モード、操作者が伝言と共に再生させる効果音を設定するための「効果音設定（回覧者用）」モード、及び前述した「特許進捗管理」モードのことである。これら作業モードの判定は、制御回路３０３が表示部３０１にモード選択画面（後述の図２７参照）を表示させ、操作者がその画面に基づいて操作部３０２を用いて操作入力したモード選択信号に基づき行う。「伝言録音（回覧者用）」モードが選択されている場合には、ステップＳ６００に移り、制御回路３０３は、伝言録音処理（回覧者用）を行う。その後、後述するステップＳ２４０に移る。一方、「伝言録音（回覧者用）」モードが選択されていない場合には、次のステップＳ２２０に移る。
【０１６１】
ステップＳ２２０では、制御回路３０３は、作業モードが「効果音設定（回覧者用）」モードであるか否かを判定する。「効果音設定（回覧者用）」モードが選択されている場合には、ステップＳ７００に移り、操作者が効果音を設定するための効果音設定処理（回覧者用）を行う（後述の図３２参照）。その後、後述するステップＳ２４０に移る。一方、「効果音設定（回覧者用）」モードが選択されていない場合には、次のステップＳ２３０に移る。
【０１６２】
ステップＳ２３０では、制御回路３０３は、作業モードが「特許進捗管理」モードであるか否かを判定する。「特許進捗管理」モードが選択されている場合には、ステップＳ５００に移り、進捗管理を行うための特許進捗管理処理を行う（前述の図１１参照）。その後、後述するステップＳ２４０に移る。一方、「特許進捗管理」モードが選択されていない場合には、次のステップＳ２４０に移る。
【０１６３】
ステップＳ２４０では、制御回路３０３は、従タグモード処理を終了するか否かを判定する。具体的には、操作者がリーダ３００において上記従タグモード処理を行うためのソフトウェアを閉じたり、従タグモード処理を終了するための操作を行った場合等に終了と判定し、本サブルーチンを終了する。それ以外の場合には、先のステップＳ２１０に戻る。
【０１６４】
なお、上記において、伝言録音処理及び効果音設定処理が回覧者用となっているのは、前述した管理者用の伝言録音処理及び効果音設定処理（図９参照）と区別するためのものである。ここでいう回覧者とは、本実施形態では発明者（発明者の上司等を含めてもよい）を指すものである。
【０１６５】
図２７は、上記従タグモード処理において、制御回路３０３が表示部３０１に表示させるモード選択画面の一例を表す図である。
【０１６６】
図２７に示すように、従タグモード処理においては「伝言録音（回覧者用）」モード、「効果音設定（回覧者用）」モード、及び「特許進捗管理」モードの３つの作業モードがあり、この選択画面において、操作者が操作部３０２を用いて所望の作業モードを選択すると、作業モードが選択入力される。
【０１６７】
図２８は、ステップＳ６００の伝言録音処理（回覧者用）の詳細手順を表すフローチャートである。
【０１６８】
まずステップＳ６１０では、制御回路３０３は、操作者（ここでは発明者。以下本フローにおいて同様）により戻り操作が行われたか否かを判定する。この判定は、制御回路３０３が、表示部３０１に制御信号を送信して表示部３０１に録音開始画面（後述の図２９参照）を表示させ、操作者がその画面上で入力した操作入力信号に基づき行う。戻り操作が行われた場合（画面上の「前の画面に戻る」をクリックする等）には、本サブルーチンを終了する。一方、戻り操作が行われていない場合には、次のステップＳ６２０に移る。
【０１６９】
ステップＳ６２０では、制御回路３０３は、操作者が録音開始操作（表示部３０１に表示された録音開始ボタン３４１（後述の図２９参照）を押す等。あるいは操作部３０２を操作してもよい）を行ったか否かを判定する。録音開始操作が行われるまで本ステップを繰り返し、録音開始操作が行われると次のステップＳ６３０に移る。
【０１７０】
ステップＳ６３０では、制御回路３０３は、操作者がマイク３１０を介して入力し、音声入力部３１１で符号化・データ圧縮された音声データを入力する録音処理を行う。なお、ここで録音される操作者の伝言が、前述の図５に示す例における第２伝言又は第３伝言に相当する。
【０１７１】
次のステップＳ６４０では、制御回路３０３は、操作者が録音終了操作（表示部３０１に表示された録音終了ボタン３５１（後述の図３０参照）を押す等。あるいは操作部３０２を操作してもよい）を行ったか否かを判定する。録音終了操作が行われない場合は上記ステップＳ６３０に戻り、録音終了操作が行われるまで上記録音処理を継続する。一方、録音終了操作が行われると次のステップＳ６５０に移る。
【０１７２】
ステップＳ６５０では、制御回路３０３は、上記ステップＳ６３０で録音した音声データを通信回線ＮＷを介してデータベース２００に送信し、対応する特許案件の情報（タグＩＤ等）に関連付けて登録する。これにより、本サブルーチンを終了する。
【０１７３】
図２９は、上記ステップＳ６１０及びステップＳ６２０において、制御回路３０３が表示部３０１に表示させる録音開始画面の一例を表す図である。また図３０は、上記ステップＳ６３０で録音処理を行っている最中に、制御回路３０３が表示部３０１に表示させる録音中画面の一例を表す図である。また図３１は、上記録音が完了した際に、制御回路３０３が表示部３０１に表示させる録音完了画面の一例を表す図である。
【０１７４】
図２９において、操作者（発明者）が画面上に表示された録音開始ボタン３４１を押すと、表示部３０１の表示が図３０に示す録音中画面に切り替わり、録音処理が開始される。この操作者による伝言（前述の図５に示す例における第２伝言又は第３伝言に相当）の録音は、操作者が画面上に表示された録音終了ボタン３５１を押すまで継続される。操作者が録音終了ボタン３５１を押すと、表示部３０１の表示が図３１に示す録音完了画面に切り替わる。
【０１７５】
なお、図２９に示す録音開始画面を表示させたものの伝言録音処理（回覧者用）を行わない場合には、操作者が戻り操作を行う（図中「前の画面に戻る」部分をクリックする等）と、伝言録音処理（回覧者用）がキャンセルされるようになっている。また、上記図３１に示す録音完了画面において、操作者が戻り操作を行うと、前述した図２７に示すモード選択画面に戻るようになっている。
【０１７６】
図３２は、上記ステップＳ７００の効果音設定処理（回覧者用）の詳細手順を表すフローチャートである。
【０１７７】
まずステップＳ７１０では、制御回路３０３は、操作者（ここでは発明者。以下本フローにおいて同様）により戻り操作が行われたか否かを判定する。この判定は、制御回路３０３が、表示部３０１に制御信号を送信して表示部３０１に効果音設定画面（後述の図３３参照）を表示させ、操作者がその画面において入力した操作入力信号に基づき行う。戻り操作が行われた場合には、本サブルーチンを終了する。一方、戻り操作が行われていない場合には、次のステップＳ７２０に移る。
【０１７８】
ステップＳ７２０では、制御回路３０３は、効果音のパターンが選択されたか否かを判定する。効果音は予め複数種類のパターンが用意されており、操作者は上述した効果音設定画面（後述の図３３参照）においていずれかの効果音パターンを選択することが可能となっている。上記判定は、操作者が上述した効果音設定画面において入力した操作入力信号（操作部３０２を用いて所望の効果音パターンにチェックを行う等）に基づき行う。効果音パターンが選択されるまで本ステップを繰り返し、選択されると次のステップＳ７３０に移る。
【０１７９】
ステップＳ７３０では、操作者が効果音設定の完了操作（表示部３０１に表示された設定ボタン３８１（後述の図３３参照）を押す等。あるいは操作部３０２を操作してもよい）を行ったか否かを判定する。設定完了操作が行われない場合は上記ステップＳ７２０に戻る。一方、設定完了操作が行われると次のステップＳ７４０に移る。
【０１８０】
ステップＳ７４０では、制御回路３０３は、上記ステップＳ７２０で選択された効果音パターンに対応する効果音データを通信回線ＮＷを介してデータベース２００に送信し、対応する特許案件の情報（タグＩＤ等）に関連付けて登録する。これにより、本サブルーチンを終了する。
【０１８１】
図３３は、上記ステップＳ７１０乃至ステップＳ７３０において、制御回路３０３が表示部３０１に表示させる効果音設定画面の一例を表す図である。
【０１８２】
図３３において、操作者は、操作部３０２を用いて、例えば録音した伝言の重要度等に応じた所望の効果音パターンを選択可能となっている。この図に示す例では、効果音としてパターン５が設定されている。効果音パターンを選択した状態で、操作者が画面上に表示された設定ボタン３８１を押すと、効果音設定が完了する。
【０１８３】
以上説明した実施形態においては、特許案件における書類の処理が複数の作業工程に沿って行われ進捗していくとき、操作者がリーダ３００のマイク３１０を用いて肉声にて音声データを入力して記録することができる。このとき、案件に対し主タグラベルＴａ及び従タグラベルＴｃが関連付けられている。この主・従タグラベルＴａ，Ｔｃに対しリーダ３００が情報読み取りを行うことで、その取得されたタグＩＤに基づき、リーダ３００のスピーカ３２０が上記案件の作業工程に関連付けて記録された音声データを再生することができる。
【０１８４】
これにより、複数の作業工程に沿った進捗に応じ、操作者に対し音声案内を行うことが可能となる。この結果、進捗状況の報知や進捗に伴う各種注意事項、伝達事項等の報知をより明確に行うことができ、書類処理の進捗状況の管理効率や書類の処理効率を向上することができる。また、このように操作者に対し音声により報知を行うことで、文字では伝えきれない微妙なニュアンス（例えば伝達事項の重要度、緊急度等）を、例えば声色や声量、話す速さ等に応じて聴覚的に聞き手に知らせることができる。また、音声による報知を行うことで、操作者は他の作業を行いつつ伝達事項等を聞くことができるので、利便性を向上できる効果もある。
【０１８５】
また、本実施形態では特に、データベース２００が、リーダ３００のマイク３１０を介し入力された肉声に基づく音声データを、対応する無線タグ回路素子ＴｏのタグＩＤと、対応する書類処理の作業工程に沿った進捗を表す進捗情報とに関連付けて格納保持する。これにより、主・従タグラベルＴａ，Ｔｃに対して読み取りを行い取得した無線タグ回路素子ＴｏのタグＩＤをキーにしてデータベース２００を検索することで、対応する音声データ及び進捗情報を容易かつ円滑に取得することができる。
【０１８６】
また、本実施形態では特に、知財担当者が主タグラベルＴａの後に従タグラベルＴｃを作成し、その従タグラベルＴｃを添付した書類（クレーム、明細書）を発明者が受け取る。発明者が、リーダ３００を用いて従タグラベルＴｃに対して読み取りを行うことで、当該従タグラベルＴｃのタグＩＤと関連付けられた主タグラベルＴａのタグＩＤをキーとしてデータベース２００の検索を行い、対応する音声データと進捗情報とを取得することができる。これにより、発明者は、知財担当者から発明者への第１伝言を再生することができる。この結果、知財担当者から発明者へ特に知らせたいことや、要望したいこと等を確実に報知することができる。
【０１８７】
また、本実施形態では特に、従タグラベルＴｃを添付した書類（クレーム、明細書）を知財担当者が発明者から受け取る。知財担当者が、リーダ３００を用いて主タグラベルＴａ又は従タグラベルＴｃに対して読み取りを行うことで、そのタグＩＤをキーとしてデータベース２００の検索を行い、対応する音声データと進捗情報とを取得することができる。これにより、発明者から知財担当者への第２伝言を再生することができる。この結果、発明者から知財担当者へ特に知らせたいことや、要望したいこと等を確実に報知することができる。
【０１８８】
また、前述した図５に示す例のように、複数の発明者Ａ，Ｂが存在し、当該発明者同士で書類（クレーム、明細書）のやりとりがある場合、従タグラベルＴｃを添付した書類を発明者Ｂが発明者Ａから受け取る。当該発明者Ｂが、リーダ３００を用いて従タグラベルＴｃに対して情報読み取りを行うことで、従タグラベルＴｃのタグＩＤをキーとしてデータベース２００の検索を行い、対応する音声データと進捗情報とを取得することができる。これにより、発明者Ａからの第３伝言を再生することができる。この結果、複数の発明者同士で特に知らせたいことや、要望したいこと等を確実に報知することができる。
【０１８９】
また、本実施形態では特に、知財担当者が主タグラベルＴａの情報読み取りを行った場合には、対応する案件に関わる全ての音声データを再生するのに対し、発明者が従タグラベルＴｃの情報読み取りを行った場合には、当該進捗に対応する音声データのみを再生する。すなわち、第１〜第３伝言の中で再生できる範囲（権限）を、知財担当者は比較的広い範囲としつつ、発明者は比較的狭い範囲に限定する。このように、再生範囲に差を設けることにより、役割分担に応じた円滑かつ合理的な音声案内を行うことができ、また無駄な伝達を省くことで迅速な書類処理を行うことができる。
【０１９０】
また、本実施形態では特に、伝言の録音と共に対応する効果音を設定することが可能である。そして、音声データの再生に先だって効果音の再生を行う。これにより、例えば録音する伝言の重要度や緊急度に応じて効果音を適宜設定しておくことにより、操作者は伝言を聴く前に効果音によりその伝言の重要度や緊急度を把握することができる。このようにして、各種注意事項や伝達事項等の報知をさらに明確かつきめ細かに行うことができる。
【０１９１】
また、本実施形態では特に、作業工程に対応して（伝言の録音を行わずに）効果音のみを設定することが可能である。これにより、例えば予め各効果音に対し対応する伝言メッセージを取り決めておけば、伝言の録音作業を行わずに効果音設定を行うのみでメッセージの伝達を行うことができる。
【０１９２】
なお、本発明は、上記実施形態に限られるものではなく、その趣旨及び技術的思想を逸脱しない範囲内で種々の変形が可能である。以下、そのような変形例を順に説明する。
【０１９３】
以上においては、前述した図８に示すように、音声データの再生中にはその旨と再生終了ボタン３３０のみをリーダ３００の表示部３０１で表示するようにしたが、これに限られず、進捗情報も併せて表示するようにしてもよい。例えば前述の図６に示すフローチャートにおいて、従タグラベルＴｃの情報読み取りを行った場合には、ステップＳ４０にて進捗情報をデータベース２００から取得するので、この取得した進捗情報をステップＳ５０における音声再生中に表示すればよい。なおこの場合において、ステップＳ４０は特許請求の範囲各項記載のデータベースより進捗情報の取得を行う進捗情報取得手段を構成し、リーダ３００の表示部３０１が音声再生手段による音声データの再生に対応して進捗情報取得手段で取得した進捗情報の表示を行う表示手段を構成する。
【０１９４】
上記変形例によれば、伝言を再生しつつ、対応する進捗情報を表示することができるので、操作者は伝言を聴きつつ当該案件の進捗情報を把握することが可能となり、利便性をさらに向上することができる。
【０１９５】
なお上記では従タグラベルＴｃの場合のみ説明したが、主タグラベルＴａの情報読み取りを行った場合にも同様に進捗情報を取得し、音声再生中に表示させるようにしてもよい。
【０１９６】
また以上では、知財担当者が主タグラベルＴａを用いて伝言を録音する場合にのみ対象となる作業工程を選択できるようにしたが、これに限られず、発明者が従タグラベルＴｃを用いて伝言を録音する場合にも、同様に対象となる作業工程を選択できるようにしてもよい。また以上では、知財担当者が録音対象として選択可能な作業工程を「発明者クレームチェック」「発明者明細書チェック」の２種類のみとしたが、さらに他の作業工程についても選択できるようにしてもよい。
【０１９７】
また以上では、無線タグとしてラベル状に形成した無線タグラベルＴを用いるようにしたが、これに限られず、例えばＩＣカード等、無線通信を介して外部と情報の送受信が可能であれば、他のタグ媒体を用いてもよい。
【０１９８】
さらに以上では、各無線タグラベルＴの無線タグ回路素子ＴｏにはタグＩＤを記憶させておき、これと関連付けられた情報をデータベース２００から検索し、読み出して用いるようにしたが、これに限られない。すなわち、案件情報や進捗情報、音声データそのものを主・従タグラベルＴａ，Ｔｃの無線タグ回路素子Ｔｏに記憶させるようにしてもよい。
【０１９９】
また、以上では作業工程の一例として１１項目である場合を示したが、これに限定するものではなく、適宜項目を変更してもよい。例えば、上記では特許事務所よりクレームと明細書原稿を別々に受領するようにしたが、まとめて特許明細書として受領するようにしてもよい。また例えば、上記では作業工程を審査請求までとしているが、意見書又は補正書提出等の中間手続き、及び拒絶査定不服審判請求などの審判手続き等、その後の工程を加えてもよい。
【０２００】
また、上記では、進捗管理システムを特許案件の進捗管理を行う特許進捗管理システムに適用した場合を例にとって説明したが、これに限られない。すなわち、例えば種々の稟議書の処理管理、固定資産の取得から廃棄までの進捗管理（見積もり、申請書、伝票、納品書、検収、廃棄申請等）、プロジェクトにおける複数のワークフローの管理、さらには工事現場における工程管理等、複数の作業手順により完遂される事象の進捗状況を管理するシステムであれば、他のシステムにも適用可能である。
【０２０１】
また、以上においては、無線タグラベルＴの無線タグ回路素子Ｔｏとリーダ３００のアンテナ３０５との間で行われる無線通信について特に説明しなかったが、例えばＵＨＦ帯を用いた電波通信により情報送受信を行ってもよいし、リーダ３００のアンテナ３０５及び無線タグ回路素子Ｔｏ側のタグアンテナ１５１としてコイル状のループアンテナを用い、ＨＦ帯を用いて磁気誘導（電磁誘導、磁気結合、その他電磁界を介して行われる非接触方式を含む）により情報送受信を行うようにしてもよい。
【０２０２】
なお、本明細書において説明したフローチャートは本発明を当該フローチャートに示す手順に限定するものではなく、発明の趣旨及び技術的思想を逸脱しない範囲内で手順の追加・削除又は変更等を行ってもよい。さらに、本明細書において説明した機能ブロック図において、図中に示す矢印は信号の流れ方向の一例を示すものであり、信号の流れ方向を矢印方向のみに限定するものではない。
【０２０３】
また、以上既に述べた以外にも、上記実施形態や各変形例による手法を適宜組み合わせて利用しても良い。
【０２０４】
その他、一々例示はしないが、本発明は、その趣旨を逸脱しない範囲内において、種々の変更が加えられて実施されるものである。
【図面の簡単な説明】
【０２０５】
【図１】本実施形態の特許進捗管理システムの全体構成を表すシステム構成図である。
【図２】リーダの機能構成を表す機能ブロック図である。
【図３】タグラベル作成装置の機能構成を表す機能ブロック図である。
【図４】無線タグ回路素子の機能的構成を表す機能ブロック図である。
【図５】本実施形態の特徴を説明するための図である。
【図６】リーダの制御回路によって行われる制御手順を表すフローチャートである。
【図７】制御回路が無線タグラベルからの情報読み取りを行う際に表示部に表示させる画面の一例を表す図である。
【図８】制御回路が音声データの再生中に表示部に表示させる画面の一例を表す図である。
【図９】ステップＳ１００の主タグモード処理の詳細手順を表すフローチャートである。
【図１０】主タグモード処理において、制御回路が表示部に表示させるモード選択画面の一例を表す図である。
【図１１】ステップＳ５００の特許進捗管理処理の詳細手順を表すフローチャートである。
【図１２】特許進捗管理処理において制御回路が表示部に表示させるモード選択画面の一例を表す図である。
【図１３】ステップＳ１０００のラベル発行処理の詳細手順を表すフローチャートである。
【図１４】ステップＳ１３００の主タグラベル発行処理の詳細手順を表すフローチャートである。
【図１５】ステップＳ１４００の従タグラベル発行処理の詳細手順を表すフローチャートである。
【図１６】タグラベル作成装置の制御回路によって実行される制御手順を表すフローチャートである。
【図１７】ステップＳ１１００の進捗更新処理の詳細手順を表すフローチャートである。
【図１８】ステップＳ１２００の進捗一覧表示処理の詳細手順を表すフローチャートである。
【図１９】リーダの表示部に表示される進捗一覧表示の一例を表す図である。
【図２０】ステップＳ３００の伝言録音処理（管理者用）の詳細手順を表すフローチャートである。
【図２１】制御回路が表示部に表示させる録音開始画面の一例を表す図である。
【図２２】制御回路が表示部に表示させる録音中画面の一例を表す図である。
【図２３】制御回路が表示部に表示させる録音完了画面の一例を表す図である。
【図２４】ステップＳ４００の効果音設定処理（管理者用）の詳細手順を表すフローチャートである。
【図２５】制御回路が表示部に表示させる効果音設定画面の一例を表す図である。
【図２６】ステップＳ２００の従タグモード処理の詳細手順を表すフローチャートである。
【図２７】従タグモード処理において、制御回路が表示部に表示させるモード選択画面の一例を表す図である。
【図２８】ステップＳ６００の伝言録音処理（回覧者用）の詳細手順を表すフローチャートである。
【図２９】制御回路が表示部に表示させる録音開始画面の一例を表す図である。
【図３０】制御回路が表示部に表示させる録音中画面の一例を表す図である。
【図３１】制御回路が表示部に表示させる録音完了画面の一例を表す図である。
【図３２】ステップＳ７００の効果音設定処理（回覧者用）の詳細手順を表すフローチャートである。
【図３３】制御回路が表示部に表示させる効果音設定画面の一例を表す図である。
【符号の説明】
【０２０６】
１５０      ＩＣ回路部
１５１      タグアンテナ
２００      データベース
３００      リーダ（読み取り装置）
３１０      マイク（音声入力手段）
３２０      音声再生手段
ＰＳ        特許進捗管理システム（進捗管理システム）
Ｔ          無線タグラベル（無線タグ）
Ｔａ        主タグラベル（無線タグ、第１無線タグラベル）
Ｔｃ        従タグラベル（無線タグ、第２無線タグラベル）
Ｔｏ        無線タグ回路素子（第１無線タグ回路素子、第２無線タグ回路素子）
【図１】
2009237948.tif 000003
【図２】
2009237948.tif 000004
【図３】
2009237948.tif 000005
【図４】
2009237948.tif 000006
【図５】
2009237948.tif 000007
【図６】
2009237948.tif 000008
【図７】
2009237948.tif 000009
【図８】
2009237948.tif 000010
【図９】
2009237948.tif 000011
【図１０】
2009237948.tif 000012
【図１１】
2009237948.tif 000013
【図１２】
2009237948.tif 000014
【図１３】
2009237948.tif 000015
【図１４】
2009237948.tif 000016
【図１５】
2009237948.tif 000017
【図１６】
2009237948.tif 000018
【図１７】
2009237948.tif 000019
【図１８】
2009237948.tif 000020
【図１９】
2009237948.tif 000021
【図２０】
2009237948.tif 000022
【図２１】
2009237948.tif 000023
【図２２】
2009237948.tif 000024
【図２３】
2009237948.tif 000025
【図２４】
2009237948.tif 000026
【図２５】
2009237948.tif 000027
【図２６】
2009237948.tif 000028
【図２７】
2009237948.tif 000029
【図２８】
2009237948.tif 000030
【図２９】
2009237948.tif 000031
【図３０】
2009237948.tif 000032
【図３１】
2009237948.tif 000033
【図３２】
2009237948.tif 000034
【図３３】
2009237948.tif 000035